(57)【要約】【課題】本体部２と蓋部３との間に十分な密閉性を持たせることができ、遺骨にカビが発生したり、悪臭が発生し難くなるとともに、遺骨自体が変色し難い骨壺１を提供する。【解決手段】上部に開口部４を有する容器状の本体部２と、この本体部２に取り外し可能に被せられ、前記開口部４を開閉する蓋部３とを有してなる骨壺１において、少なくとも前記本体部２を、木炭、竹炭、籾殻燻炭等の植物由来の炭粉末とバインダーとを有してなる混合物を成形してなる材料から構成する。【選択図】図１
2009207635.tif 000002
【特許請求の範囲】
【請求項１】
上部に開口部を有する容器状の本体部と、この本体部に対し取り外し可能に被せられ、前記開口部を開閉する蓋部とを有してなる骨壺において、
少なくとも前記本体部が、植物由来の炭粉末とバインダーとを有してなる混合物を成形してなる材料からなる骨壺。
【請求項２】
少なくとも前記本体部が、植物由来の炭粉末とバインダーとを有してなる混合物を成形してなる複数の部材を互いに接合してなる請求項１記載の骨壺。
【請求項３】
前記本体部に設けられており、可視情報を担持した表示体を嵌合されて支持する表示体嵌合部をさらに有する請求項１または２記載の骨壺。
【請求項４】
前記蓋部および前記本体部の外郭形状が上方から見て正六角形以上の正多角形状をなしている請求項１乃至３のいずれかに記載の骨壺。
【発明の詳細な説明】
【技術分野】
【０００１】
本発明は、人やペット等の遺骨を収納する骨壺に関する。
【背景技術】
【０００２】
従来の伝統的な骨壺は陶磁器製であった。他方、陶磁器製以外の骨壺としては、木材からなるもの（例えば、特許文献１参照）、生分解性プラスチックを用いたもの（例えば、特許文献２参照）、金属からなるもの（例えば、特許文献３参照）等があった。
【特許文献１】特開２００７−６８５４８号公報
【特許文献２】特開平１０−１６５４６３号公報
【特許文献３】特開２００４−７３８６２号公報
【発明の開示】
【発明が解決しようとする課題】
【０００３】
従来の伝統的な陶磁器製の骨壺は、次のような問題があった。
【０００４】
（ａ）陶器製であるため、本体部と蓋部との間に密閉性を持たせることが不可能であるとともに、吸湿性、抗菌性、防カビ性および消臭性を有さないため、遺骨が空気中の水分を吸ったり、結露により骨壺内に水が溜まることにより、遺骨にカビが発生したり、悪臭が発生するとともに、遺骨が完全に焼かれていない場合は、遺骨自体が変色してしまう、
（ｂ）前記のように本体部と蓋部との間に密閉性がないため、お墓内において、外部から水が骨壺内に侵入し、遺骨が水浸し状態になることがある、
（ｃ）落とす等により衝撃を与えると、簡単に割れてしまう、
（ｄ）使用済みの骨壺は、焼却することができず、産業廃棄物として処理する必要があり、環境問題を生じさせる、
（ｅ）形状の自由度が低い、
（ｆ）外装の自由度が低い、
（ｇ）故人やペットの名前、戒名等の文字、写真、絵、図形等の可視情報を担持した板状等の形状の表示体を嵌合する部分を設けることは困難である。
【０００５】
また、木材からなるものは、密閉性はある程度よくすることができるが、吸湿性が十分でないとともに、抗菌性、防カビ性および消臭性を有さないため、上記（ａ）の問題点を十分解決することができないとともに、腐食し、かつ熱に弱いという問題があった。
【０００６】
また、生分解性プラスチックからなる骨壺は、密閉性はよくすることができるが、吸湿性、抗菌性、防カビ性および消臭性がないため、上記（ａ）の問題点を十分解決することができない上、熱に弱いとともに、外観上、プラスチックの質感が遺骨を収容する骨壺には相応しくないという問題があった。
【０００７】
さらに、金属からなる骨壺は、やはり密閉性はよくすることができるが、吸湿性、抗菌性、防カビ性および消臭性がないため、上記（ａ）の問題点を十分解決することができないという問題があった。
【０００８】
本発明は、このような従来の事情に鑑みてなされたもので、本体部と蓋部との間に十分な密閉性を持たせることができる骨壺を提供することにある。
【０００９】
本発明の他の目的は、遺骨にカビが発生したり、悪臭が発生し難くなるとともに、遺骨自体が変色し難い骨壺を提供することにある。
【００１０】
本発明の他の目的は、落とす等により衝撃を与えても割れ難い骨壺を提供することにある。
【００１１】
本発明の他の目的は、使用済みの骨壺は焼却処分することができ、環境に優しい骨壺を提供することにある。
【００１２】
本発明の他の目的は、形状の自由度が高い骨壺を提供することにある。
【００１３】
本発明の他の目的は、外装の自由度が高い骨壺を提供することにある。
【００１４】
本発明のさらに他の目的は、文字、写真、絵、図形等の可視情報を担持した板状等の形状の表示体を嵌合されて支持する表示体嵌合部を設けることができる骨壺を提供することにある。
【課題を解決するための手段】
【００１５】
本発明による骨壺は、上部に開口部を有する容器状の本体部と、この本体部に対し取り外し可能に被せられ、前記開口部を開閉する蓋部とを有してなる骨壺において、
少なくとも前記本体部が、植物由来の炭粉末とバインダーとを有してなる混合物を成形してなる材料からなるものである。
【００１６】
陶磁器製の骨壺の場合は、その製法上、寸法精度を高くすることが不可能であるので、前述のように本体部と蓋部との間に十分な密閉性を持たせることが不可能であるが、本発明の骨壺においては、少なくとも本体部が炭粉末とバインダーとを有してなる混合物を成形してなる材料からなるので、寸法精度を高くし、本体部と蓋部との間に十分な密閉性を持たせることができる。
【００１７】
したがって、内部に水分が侵入しにくい上、含有する炭粉末が吸湿性、抗菌性、防カビ性および消臭性を有しているため、遺骨にカビが発生したり、悪臭が発生し難くなるとともに、遺骨自体が変色し難くなる。
【００１８】
また、前記のように本体部と蓋部との間に十分な密閉性を持たせることができるので、お墓内において、外部から水が骨壺内に侵入し、遺骨が水浸し状態にならないようにすることができる。
【００１９】
また、本体部が炭粉末とバインダーとを有してなる混合物を成形してなる材料からなるので、落とす等により衝撃を与えても割れ難い。
【００２０】
また、本体部が炭粉末とバインダーとを有してなる混合物を成形してなる材料からなるので、使用済みの骨壺は焼却処分することができ、環境に優しい。
【００２１】
また、本体部が炭粉末とバインダーとを有してなる混合物を成形してなる材料からなるので、形状および外装の自由度が高い。
【００２２】
また、本体部が炭粉末とバインダーとを有してなる混合物を成形してなる材料からなるので、故人やペットの名前、戒名等の文字、写真、絵、図形等の可視情報を担持した板状等の形状の表示体を嵌合されて支持する表示体嵌合部を設けることができる。
【発明の効果】
【００２３】
本発明の骨壺は、
（イ）本体部と蓋部との間に十分な密閉性を持たせることができる、
（ロ）遺骨にカビが発生したり、悪臭が発生し難くなるとともに、遺骨自体が変色し難い、
（ハ）落とす等により衝撃を与えても割れ難い、
（ニ）使用済みの骨壺は焼却処分することができ、環境に優しい、
（ホ）形状の自由度が高い、
（ヘ）外装の自由度が高い、
（ト）故人やペットの名前、戒名等の文字、写真、絵、図形等の可視情報を担持した板状の表示体を嵌合されて支持する表示体嵌合部を設けることが可能になる、
等の優れた効果を得られるものである。
【発明を実施するための最良の形態】
【００２４】
以下、本発明を図面に示す実施例に基づいて説明する。
【実施例１】
【００２５】
図１〜１２は本発明の一実施例を示している。本実施例の骨壺１は、本体部２と蓋部３とを有してなる。前記本体部２は、全体として、上部に開口部４（図６，９，１０参照）を有する有底角筒状の容器状をなしていて、その外郭形状は大略のところ上方から見て正八角形状（図１０参照）をなしている。
【００２６】
さらに詳しく言うと、前記本体部２は、底部を構成する正八角形状の板状の底部部材２ａと、側面を構成する８枚の矩形状の板状の側部部材２ｂ〜２ｉとを互いに接着剤で接合してなる。前記本体部２の上端部（側部部材２ｂ〜２ｉの上端部）には、開口部４を囲むようして、外側が低く、内側が高い段部５が形成されている（図６，９，１０参照）。
【００２７】
図１，２，６，７，９，１０に示されるように、前記８枚の側部部材２ｂ〜２ｉのうちの１枚の側部部材２ｂには、該外側部部材２ｂの表面から凹陥する表示体嵌合部６が設けられている。図７〜９によく示されるように、前記表示体嵌合部６の横断面は蟻溝状とされており、図９および１２に示されるように、板状の表示体７を上方から差し込んで嵌合されて支持するようになっている。前記表示体７は、図１１によく示されるように、その横断面を表示体嵌合部６の横断面に対応する蟻ほぞ状とされている。そして、この表示体７は、表面側に、故人やペットの名前、戒名等の文字、写真、絵、図形等の可視情報(図示せず)を担持するようになっている。
【００２８】
前記蓋部３は、上方から見てその外郭形状が正八角形状をなす板状の天板部材３ａと、この天板部材３ａの下面の外周部に接着剤で接合された８枚の板状の周縁部材３ｂ〜３ｉとを有してなる。なお、図８によく示されるように、前記８枚の周縁部材３ｂ〜３ｉは、天板部材３ａの外周部に沿って正八角形状に組み合わされており、隣り合う周縁部材３ｂ〜３ｉの端部同士も接着剤で接合されている。そして、前記蓋部３全体も、上方から見てその外郭形状が正八角形状をなしている。前記周縁部材３ｂ〜３ｉの下部には、外側が高く、内側が低い段部８が形成されている（図６，８参照）。そして、図８に示されるように、この段部８は本体部２の段部５に対応して、正八角形状に配置されている。図６に示されるように、段部５と８とが嵌合するようにして、蓋部３を本体部２の上端部に被せられることにより、本体部２の開口部４を閉じることができる。また、蓋部３を本体部２から取り外せば、開口部４を開放することができる。
【００２９】
前記本体部２の底部部材２ａおよび側部部材２ｂ〜２ｉ、並びに蓋部３の天板部材３ａおよび周縁部材３ｂ〜３ｉは、それぞれ木炭、竹炭、籾殻燻炭等の植物由来の炭粉末とバインダー（結合剤、粘結性添加物等）とを有してなる混合物を型(図示せず)に入れて成形して板状とし、さらに細部を研磨加工や切削加工してなる。前記バインダーとしては、天然物も合成物も使用可能であるし、無機系のものも、有機系のものも使用可能である。前記成形過程は、無加圧、自然乾燥であってもよいし、必要に応じて、適当な温度に加熱したり、適当な圧力に加圧してもよい。また、成形の際に必ずしも型を用いないでもよい。
【００３０】
陶磁器製の骨壺１の場合は、その製法上、寸法精度を高くすることが不可能であるので、前述のように本体部２と蓋部３との間に十分な密閉性を持たせることが不可能であったが、この骨壺１においては、本体部２および蓋部３が炭粉末とバインダーとを有してなる混合物を成形してなる材料からなるので、寸法精度を高くし、本体部２と蓋部３との間に十分な密閉性を持たせることができる。
【００３１】
したがって、内部に水分が侵入しにくい上、本体部２および蓋部３が含有する炭粉末が吸湿性、抗菌性、防カビ性および消臭性を有しているため、遺骨にカビが発生したり、悪臭が発生し難くなるとともに、遺骨自体が変色し難くなる。
【００３２】
また、前記のように本体部２と蓋部３との間に十分な密閉性を持たせることができるので、お墓内において、外部から水が骨壺１内に侵入し、遺骨が水浸し状態にならないようにすることができる。
【００３３】
また、本体部２および蓋部３が炭粉末とバインダーとを有してなる混合物を成形してなる材料からなるので、落とす等により衝撃を与えても割れ難い。
【００３４】
また、本体部２および蓋部３が炭粉末とバインダーとを有してなる混合物を成形してなる材料からなるので、使用済みの骨壺１は焼却処分することができ、環境に優しい。
【００３５】
また、本体部２および蓋部３が炭粉末とバインダーとを有してなる混合物を成形してなる材料からなるので、形状および外装の自由度が高い。外装に関しては、適宜、塗装等を行ってもよい。
【００３６】
また、本体部２が炭粉末とバインダーとを有してなる混合物を成形してなる材料からなるので、表示体嵌合部６を設けることができる。
【００３７】
また、本実施例では、本体部２および蓋部３が、植物由来の炭粉末とバインダーとを有してなる混合物を成形してなる複数の部材を互いに接合してなるので、本体部２および蓋部３をそれぞれ一体に成形するより、製造が容易になる。
【００３８】
さらに、本実施例では、蓋部３および本体部２が上方から見て正六角形以上の正多角形状をなしているので、本体部２の側部を構成する側部部材２ｂ〜２ｉを湾曲させないで、製作しやすい平板状とし、なおかつ上方から見た外郭形状の外接円の径の大きさを同一とした場合の容量を大きくすることができる。
【００３９】
また、本実施例では、本体部２の段部５と蓋部３の段部８とを嵌合した状態で、本体部２の開口部４を蓋部３で閉じることができるので、特に本体部２と蓋部３との間の密閉性を高くすることができる。
【００４０】
なお、前記実施例においては、本体部２と蓋部３との両方が植物由来の炭粉末とバインダーとを有してなる混合物を成形してなる材料からなるが、本発明においては、蓋部３の方は、寸法精度を高くすることができる別種の材料で構成してもよい。ただし、本実施例のように同一の材料で構成すれば、骨壺１全体として統一感を得られるとともに、蓋部３の方も含有する炭粉末が吸湿性、抗菌性、防カビ性および消臭性示し、これらの特性による効果を一層よく得ることができる。
【００４１】
また、、前記実施例においては、表示体７は板状とされているが、本発明においては、表示体は必ずしも板状でなくてもよい。
【産業上の利用可能性】
【００４２】
以上のように本発明による骨壺は、人やペット等の遺骨を収納する骨壺として有用である。
【図面の簡単な説明】
【００４３】
【図１】本発明の一実施例における骨壺を示す斜視図である。
【図２】前記骨壺を示す正面図である。
【図３】前記骨壺を示す側面図である。
【図４】前記骨壺を示す平面図である。
【図５】前記骨壺を示す底面図である。
【図６】図２のＶＩ−ＶＩ線における断面図である。
【図７】図２のＶＩＩ−ＶＩＩ線における断面図である。
【図８】前記骨壺の蓋部のみを示す底面図である。
【図９】前記骨壺から蓋部を取り去って、本体部に表示体を差し込む様子を示す斜視図である。
【図１０】前記骨壺の本体部のみを示す平面図である。
【図１１】前記表示体を示す横断面図である。
【図１２】前記表示体を嵌合されて支持した状態における前記骨壺を示す斜視図ある。
【符号の説明】
【００４４】
１    骨壺
２    本体部
２ａ  底部部材
２ｂ〜２ｉ  側部部材
３    蓋部
３ａ  天板部材
３ｂ〜３ｉ  周縁部材
４    開口部
５    段部
６    表示体嵌合部
７    表示体
８    段部
【図１】
2009207635.tif 000003
【図２】
2009207635.tif 000004
【図３】
2009207635.tif 000005
【図４】
2009207635.tif 000006
【図５】
2009207635.tif 000007
【図６】
2009207635.tif 000008
【図７】
2009207635.tif 000009
【図８】
2009207635.tif 000010
【図９】
2009207635.tif 000011
【図１０】
2009207635.tif 000012
【図１１】
2009207635.tif 000013
【図１２】
2009207635.tif 000014